(57)【要約】【課題】２つの扉の開閉動作に連動して切り換えを行うスイッチを備えた構造で、扉を強く閉めたり過度に押し込んだりしても、スイッチに損傷が生じないようにする。【解決手段】スイッチ５０は装置本体に固定する。２つの扉の開閉動作に連動して、２つの扉の何れもが閉状態のときにスイッチ５０を通電状態とし、少なくとも何れかの扉が開状態のときにスイッチ５０を非通電状態とするアーム６１及びスイッチ押し部材６２を有している。スイッチ押し部材６２は、突出部６２Ｂと弾性を備えた折り曲げ部６２Ｃを有している。スイッチ押し部材６２は、第２の扉を閉めたとき、スイッチ５０側に付勢されて、弾性を備えた折り曲げ部６２Ｃと突出部６２Ｂと介してスイッチ５０を作動させる。弾性を備えた折り曲げ部６２Ｃによってスイッチ５０の損傷が防止される。【選択図】図７
2015102661.tif 000002
【特許請求の範囲】
【請求項１】
装置本体に開閉自在に設けられる第１の扉及び第２の扉と、
前記装置本体に固定されて、通電状態が変わるスイッチと、
前記装置本体に回転自在に設けられて、前記第１の扉が当接する被当接部を有する第１の部材と、
前記第１の部材の回転端部に回転自在に設けられて、前記第２の扉が当接する被当接部と、前記スイッチを作動させるスイッチ作動部とを有する第２の部材と、を備え、
前記スイッチは、
前記第１の扉と前記第２の扉とが閉められて、前記第１の扉が前記第１の部材の被当接部に当接して前記第１の部材を回転させ、前記第２の扉が前記第２の部材の被当接部に当接して前記第２の部材を回転させることによって、第１の部材と共に回転する前記第２の部材のスイッチ作動部によって作動させられて、通電状態に切り換え、
前記第１の扉と前記第２の扉との少なくとも一方が開かれると、前記開かれた扉と該開かれた扉に対応する前記被当接部との当接が解除されて、前記第２の部材のスイッチ作動部が前記スイッチから離間することによって非通電状態に切り換える、
ことを特徴とする画像形成装置。
【請求項２】
前記スイッチは、外力を受けると作動する作動片と、前記作動片によって前記装置本体の内部に設けられた電気部品を通電状態と非通電状態とに切り換える接点とを有し、
前記第２の部材の被当接部とスイッチ作動部との少なくとも一方は、弾性突片である、
ことを特徴とする請求項１に記載の画像形成装置。
【請求項３】
前記スイッチは、前記第２の部材のスイッチ作動部を検知するフォトセンサであり、
前記第２の部材の被当接部は、弾性突片である、
ことを特徴とする請求項１に記載の画像形成装置。
【請求項４】
前記第２の部材は、前記弾性突片を一体に有する樹脂製の部材である、
ことを特徴とする請求項２又は３に記載の画像形成装置。
【発明の詳細な説明】
【技術分野】
【０００１】
本発明は、シートに画像を形成する複写機、プリンタ、ファクシミリ、これらの複合機などの画像形成装置に関し、詳しくは、装置本体に少なくとも２つの扉を有する画像形成装置に関する。
【背景技術】
【０００２】
画像形成装置は、装置本体に種々の扉が設けられている。これらの扉は、例えば、サービスマンが画像形成装置のメンテナンスや補修をしたり、ユーザがジャム処理やトナー補給したりするときに開閉される。一方、装置本体内には、通電により作動する各種電気部品が配置されている。したがって、装置本体の扉を開けたときの事故防止のために、このような電気部品への通電を遮断する構成が従来から知られている。
【０００３】
しかし、複数の扉ごとに電気部品への通電と非通電とを切り換えるスイッチを設けると、部品点数が増大する。このため、スイッチを２つの扉に対して１つにした装置が提案されている（特許文献１参照）。
【０００４】
特許文献１に記載された従来の画像形成装置は、第２の扉の開閉動作に連動して移動するスイッチ本体に、第１の扉の開閉動作に連動して可動する可動部を設けたスイッチを備えている。そして、従来の画像形成装置は、第１の扉と第２の扉との両方が閉状態の場合、可動部がスイッチ本体に設けた接点に接触してスイッチが通電状態になり、少なくとも一方の扉が開状態の場合、可動部が接点から離れてスイッチが非通電状態になるようにしている。このため、従来の画像形成装置は、第１の扉の閉状態では、可動部が接点と接触した位置に保持され、第２の扉の閉状態では、スイッチ本体が回転して、可動部が接点と接触する位置に保持されるようになっている。
【先行技術文献】
【特許文献】
【０００５】
【特許文献１】特許第３５１６３０１号公報
【発明の概要】
【発明が解決しようとする課題】
【０００６】
しかし、従来の画像形成装置は、第２の扉の開閉動作によりスイッチ本体が回転するようになっている。このため、スイッチ本体の回転によりスイッチ本体の内部の部品に力が作用して、スイッチが接触不良を起こしやすい。また、スイッチ本体が回転すると、スイッチに接続されているリード線が外れたり、破損したりして、通電を断たれて、扉の開閉を検知できなくなることもある。
【０００７】
また、従来の画像形成装置は、何れかの一方の扉の閉状態で可動部とスイッチ本体との何れかが可動部と接点とが接触可能な位置に保持されている。このため、もう一方の扉を開状態から閉状態とするときに、可動部と接点とが強く接触する可能性がある。例えば、第１の扉の閉状態で可動部が所定位置に保持されている場合に、第２の扉を強く閉めたり、或いは、閉めた状態から更に押し込んだりすると、スイッチ本体の接点が可動部に強く当接される。この場合に可動部は、第１の扉により所定位置に保持されているため、スイッチ本体の接点が強く当接しても退避しにくい。この結果、スイッチが損傷する可能性があった。
【０００８】
本発明は、２つの扉の開閉動作に連動して切り換えを行うスイッチを備えた構造で、スイッチが移動しないようにし、そして、扉を強く閉めたり、過度に押し込んだりしても、スイッチに損傷が生じるのを防止した画像形成装置を提供することにある。
【課題を解決するための手段】
【０００９】
本発明の画像形成装置は、装置本体に開閉自在に設けられる第１の扉及び第２の扉と、前記装置本体に固定されて、通電状態が変わるスイッチと、前記装置本体に回転自在に設けられて、前記第１の扉が当接する被当接部を有する第１の部材と、前記第１の部材の回転端部に回転自在に設けられて、前記第２の扉が当接する被当接部と、前記スイッチを作動させるスイッチ作動部とを有する第２の部材と、を備え、前記スイッチは、前記第１の扉と前記第２の扉とが閉められて、前記第１の扉が前記第１の部材の被当接部に当接して前記第１の部材を回転させ、前記第２の扉が前記第２の部材の被当接部に当接して前記第２の部材を回転させることによって、第１の部材と共に回転する前記第２の部材のスイッチ作動部によって作動させられて、通電状態に切り換え、前記第１の扉と前記第２の扉との少なくとも一方が開かれると、前記開かれた扉と該開かれた扉に対応する前記被当接部との当接が解除されて、前記第２の部材のスイッチ作動部が前記スイッチから離間することによって非通電状態に切り換える、ことを特徴としている。
【００１０】
また、本発明の画像形成装置は、前記スイッチが、外力を受けると作動する作動片と、前記作動片によって前記装置本体の内部に設けられた電気部品を通電状態と非通電状態とに切り換える接点とを有し、前記第２の部材の被当接部とスイッチ作動部との少なくとも一方が、弾性突片である、ことを特徴としている。
【発明の効果】
【００１１】
本発明の画像形成装置は、スイッチを装置本体に固定してあるので、スイッチ本体の内部の部品の接触不良や、スイッチに接続されているリード線の外れを防止して、扉の開閉を検知できなくなることを防止することができる。
【００１２】
また、本発明の画像形成装置は、弾性部を有する第２の部材を配置しているため、何れかの扉を強く閉めたり過度に押し込んだりした際の負荷を弾性部により吸収して、スイッチに損傷が生じることを抑制できる。
【図面の簡単な説明】
【００１３】
【図１】本発明の実施形態に係る画像形成装置の斜視図である。
【図２】図１の画像形成装置を右側から見た画像形成装置の正面図である。
【図３】図１に示す画像形成装置の装置本体の断面概略図である。
【図４】正面扉と側面扉とが開かれた状態の画像形成装置の斜視図である。
【図５】正面扉と側面扉とが閉められた状態の連動部とスイッチとを装置本体の内側から見た斜視図である。
【図６】正面扉と側面扉とが開かれた状態の連動部とスイッチとを装置本体の内側から見た斜視図である。
【図７】正面扉と側面扉とが閉められた状態の連動部とスイッチとを装置本体の内側から見た図である。
【図８】正面扉が開かれた状態で側面扉が閉められた状態での連動部とスイッチとを装置本体の内側から見た図である。
【図９】正面扉が閉められた状態で側面扉が開かれた状態での連動部とスイッチとを装置本体の内側から見た図である。
【図１０】正面扉と側面扉とが開かれた状態での連動部とスイッチとを装置本体の内側から見た図である。
【図１１】スイッチ押し部材が回動部材に嵌合された状態を示す斜視図である。
【図１２】スイッチ押し部材が回動部材に嵌合された状態で重心位置を示す平面図である。
【図１３】図５において、スイッチにフォトセンサを使用した場合の実施の形態である。
【図１４】他の実施形態における、正面扉及び側面扉が閉じられた状態での連動部とスイッチとを装置本体の内側から見た斜視図である。
【図１５】他の実施形態における、正面扉及び側面扉が閉状態での連動部とスイッチとを装置本体の内側から見た図である。
【図１６】図５のスイッチ押し部材の弾性部を金属板にした場合のスイッチ押し部材の斜視図である。
【図１７】図１５のスイッチ押し部材の弾性部を金属板にした場合のスイッチ押し部材の斜視図である。
【発明を実施するための形態】
【００１４】
本発明の実施形態の画像形成装置を、図に基づいて説明をする。まず、図１ないし図４に基づいて、画像形成装置の構成を概略説明する。
【００１５】
［画像形成装置］
画像形成装置１００は、主に、装置本体１０１と、装置本体１０１の上部に配置された画像読取部１０２と、装置本体１０１の下部に配置された給紙部１０３とで構成されている。また、画像形成装置１００は、複写機の機能とファクシミリの機能とを併せ持たせた構成になっている。また、画像形成装置１００は、画像読取部１０２で読み取った原稿の画像情報（光信号）を電気信号に変換して作像を行う、いわゆるデジタル複合機である。
【００１６】
図１、図２に示すように、装置本体１０１の上部に設けた画像読取部１０２の下側には、装置本体内で画像形成されたシートが排出される排紙空間４が形成されている。本実施形態の画像形成装置は、このように排紙空間４が形成されていることによって、装置側面に排紙トレイが不要なウイングレス化を図っている。これにより、画像形成装置１００は、装置側面に出っ張りのない省スペース化された形状に形成されている。
【００１７】
装置本体１０１の内部には、図３に示すように、電子写真方式によるプリントエンジンを配置してある。すなわち、装置本体１０１の内部には、搬送されるシートに画像を形成する画像形成部１６５と、画像形成部１６５でシート上に形成された画像をシートに定着する定着器１５１などが内蔵されている。画像形成部１６５は、感光ドラム１６１、帯電ローラ１６６、不図示の露光器、現像器１６３、転写部１６４などを有している。感光ドラム１６１の表面は帯電ローラ１６６により所定の電位に帯電される。そして、画像読取部１０２で読み取った画像情報に基づいて、露光器のレーザにより感光ドラム１６１の表面に静電潜像が形成される。静電潜像は、現像器１６３によりトナーで現像されトナー画像となる。トナー画像は、転写部１６４でシートに転写される。トナー画像が転写されたシートは、定着器１５１で加圧、加熱されて、トナー画像が定着される。トナー像が定着されたシートは、排紙空間４に排出される。画像形成部１６５、定着器１５１等は、電気製品である。
【００１８】
画像形成部１６５に搬送されるシートは、給紙部１０３の給紙カセット２１から供給されるようになっている。給紙カセット２１は、装置手前側に（図１、矢印Ａ方向に）引き出してシートの補給を行うようにした、フロントローディング・タイプである。そのため、カセット前面の中央部に引き出し用の把手２１ａが設けられている。
【００１９】
このように構成された画像形成装置１００は、メンテナンスやジャム処理などのために、ユーザやサービスマンが装置本体１０１内にアクセスできるように、複数の扉を有している。扉には、画像形成部１６５や定着器１５１などのメンテナンスを行うための正面扉２４と、ジャムしたシートを取り除いたりするための側面扉２５等がある。
【００２０】
正面扉２４と側面扉２５は、それぞれ装置本体１０１に開閉自在に設けられて、メンテナンスやジャム処理などを行うときに、図４に示すように開放されるようになっている。第１の扉（又は、第２の扉）としての正面扉２４は、装置本体１０１の前面に設けられて、給紙カセット２１の上部に設けられたヒンジにより、装置本体１０１の上下方向（図４、矢印Ｂ、Ｋ方向）に回動するようになっている。第２の扉（又は、第１の扉）としての側面扉２５は、装置本体１０１の側面に設けられて、装置本体１０１の後方に設けられたヒンジにより、装置本体１０１の左右方向（図４、矢印Ｇ、Ｄ方向）に回動するようになっている。
【００２１】
そして、正面扉２４と側面扉２５との何れか一方が開放された場合、装置本体内の画像形成部１６５の帯電ローラ１６６、現像器１６３、定着器１５１などの電気部品に対する通電が遮断されるようになっている。一方、正面扉２４と側面扉２５とが閉まっている場合、電気部品に対して通電されるようになっている。
【００２２】
このため、画像形成装置１００は、正面扉２４と側面扉２５との開閉動作に連動して電気部品を通電状態と非通電状態とに切り換えるスイッチ５０を備えている。すなわち、スイッチ５０は、スイッチ５０自体が通電状態と非通電状態とに切り換わって、電気部品を通電状態と非通電状態とに切り換えるようになっている。そして、正面扉２４と側面扉２５との何れか一方が開放されたときの通電の遮断は、それぞれに個別に配設された２個のスイッチによって行われるのではなく、１個のスイッチで兼用して行われるようになっている。以下、この部分の構成を、図５ないし図１２に基づいて説明をする。
【００２３】
［スイッチ及び連動部］
上述のスイッチ５０は、装置本体１０１に固定されて、装置本体内の電気部品を通電状態と非通電状態とに切り換えるようになっている。スイッチ５０の固定位置は、図４に示すように、正面扉２４が設けられた前面と、側面扉２５が設けられた側面とを連続させる角部１５２の内側である。
【００２４】
また、スイッチ５０は、図５乃至図１２に示すように、スイッチ本体５１と、外力を受けると作動する作動片としてのスイッチ板５２と、接点５３（図７）とを備えている。スイッチ板５２の基端部５２ａは、軸５４によってスイッチ本体５１に回転自在に設けられている。スイッチ板５２は、不図示のばねによって、常時、スイッチ本体５１から離れる方向に付勢されている。スイッチ板５２は、後述するスイッチ押し部材６２の回転方向に弾性変形可能な突出部６２Ｂに押されて、突出部６２Ｂと共にスイッチ押し部材６２の回転方向に回転するようになっている。接点５３は、スイッチ本体５１に設けられ、スイッチ板５２が接離してスイッチ５０を通電状態と非通電状態とに切り換えるようになっている。
【００２５】
連動部６０は、装置本体１０１の角部１５２（図４）の内側で、スイッチ５０に隣接する位置に配置されている。連動部６０は、正面扉２４と側面扉２５との開閉動作に連動してスイッチ５０を開状態（ＯＦＦ）と閉状態（ＯＮ）とに切り換えるようになっている。連動部６０は、正面扉２４と側面扉２５とが閉状態のときにスイッチ５０を通電（ＯＮ）状態にし、正面扉２４と側面扉２５との少なくとも一方が開状態のとき、スイッチ５０を非通電（ＯＦＦ）状態にするようになっている。
【００２６】
連動部６０は、第１の部材としてのアーム６１と、第２の部材としてのスイッチ押し部材６２とを備えている。アーム６１は、正面扉２４の開閉動作に連動し、図５、図７、図９に示す第１の位置と、図６、図８、図１０に示す第２の位置との間で、スイッチ５０に接近離間する方向に回動するようになっている。第１の位置は、正面扉２４が閉状態のときの位置であり、第２の位置は、第１の位置よりもスイッチ５０から遠ざかる、正面扉２４が開状態のときの位置である。
【００２７】
また、正面扉２４には、内側面の角部１５２側部分から突出した係合突部２４ａ（図４、図５）が設けられている。アーム６１の下端部（後端部）６１ｄには、正面扉２４の閉動作に伴い係合突部２４ａと係合してアーム６１を左回転（矢印Ｃ方向）に回転させる被当接部としての被係合部６１ａを設けてある。被係合部６１ａは、係合突部２４ａが正面扉２４の閉動作方向（矢印Ｂ方向）に向かうにしたがってアーム６１の上端部６１ｃをスイッチ５０側に傾斜させる（矢印Ｃ方向に回転させる）ための傾斜面になっている。
【００２８】
アーム６１（図７）は、装置本体１０１の一部分に支持された枢支点としての第１の揺動軸６１ｂに矢印Ｃ，Ａ方向に揺動自在（回転自在）に支持されている。このため、アーム６１の上端部（先端部、回転端部）６１ｃは、スイッチ５０に接近離間するようになっている。また、アーム６１の上端部６１ｃは、後述するスイッチ押し部材６２を揺動自在に支持する部分である。したがって、正面扉２４（図５）の矢印Ｋ方向への開動作と矢印Ｂ方向への閉動作とに伴い、係合突部２４ａがアーム６１の被係合部６１ａに接離することにより、アーム６１が第１の揺動軸６１ｂを中心に矢印Ｃ，Ａ方向に揺動するようになっている。
【００２９】
スイッチ押し部材６２は、スイッチ５０に接近離間する矢印Ｅ、Ｈ方向（図８、図９）にアーム６１に対して移動（回転）自在に支持されている。スイッチ押し部材６２は、回転方向に対して交差する方向（図７の略上下方向）に延びる本体部６２Ａと、本体部６２Ａの上部から下方に湾曲した弾性変形可能な折り曲げ部６２Ｃと、折り曲げ部６２Ｃに接続された突出部６２Ｂとを有している。さらに、スイッチ押し部材６２は、側面扉２５の係合突部２５ａが当接する扉受け部６２を有している。突出部６２Ｂは、本体部６２Ａの長手方向の上部から折り曲げ部６２Ｃを介して下方に、スイッチ５０側に板状に延びて、折り曲げ部６２Ｃの弾性変形によって、スイッチ押し部材６２の回転方向に傾くようになっている。折り曲げ部６２Ｃと突出部６２Ｂは、スイッチ５０に接離可能なスイッチ作動部であり、弾性突片である。スイッチ押し部材６２は、本体部６２Ａの基端部６２Ａａが、アーム６１の上端部（回転端部）６１ｃに、第１の揺動軸６１ｂと平行な枢支点としての第２の揺動軸６２ａを中心に、アーム６１に対して揺動自在（回転自在）に支持されている。基端部６２Ａａは、図１１に示すように、アーム６１の上端部（回転端部）６１ｃに嵌合している。
【００３０】
スイッチ押し部材６２は、図５、図７に示すように、アーム６１が第１の位置のときに、スイッチ側への付勢力が付与されるとスイッチ５０を通電状態にする。また、スイッチ押し部材６２は、図９に示すように、アーム６１が第１の位置にいても、スイッチ側への付勢力が解除されるとスイッチ５０を非通電状態にする。さらに、スイッチ押し部材６２は、図６、図８、図１０に示すように、アーム６１が第２の位置にいるとき、スイッチ側への付勢力の有無に拘らずスイッチ５０から離れてスイッチ５０を非通電状態にする。
【００３１】
図５、図７、図８に示すように、側面扉２５は、閉状態のとき、スイッチ押し部材６２の扉受け部６２Ｄを押しスイッチ側への付勢力を付与する。側面扉２５に対応する扉受け部６２Ｄは、側面扉２５が当接する被当接部である。一方、図６、図９、図１０に示すように、側面扉２５が開状態のときにはスイッチ側への付勢力が解除される。
【００３２】
スイッチ押し部材６２は、本体部６２Ａ、折り曲げ部６２Ｃ、突出部６２Ｂ、及び扉受け部６２Ｄが一体の樹脂成型品である。なお、突出部６２Ｂの弾性復元力は、スイッチ５０のスイッチ板５２の不図示のばねによる復帰力よりも大きくなるように設定されている。
【００３３】
さらに、スイッチ押し部材６２は、図１２に示すような状態のときに、アーム６１に形成された揺動軸６２ａの嵌合したスイッチ押し部材６２の回動孔６２Ｆの中心６２ＦＯに対し、スイッチ５０から離れる方向に自重で回動する位置に重心Ｗが設定されている。このため、側面扉２５が図８の閉状態から図９の開状態に移動して、側面扉２５の係合突部２５ａがスイッチ押し部材６２から離れると、スイッチ押し部材６２は、スイッチ５０から離れる方向に自重で回転し、スイッチ５０をＯＦＦにするようになっている。
【００３４】
また、連動部６０（図８）は、スイッチ押し部材６２をスイッチ５０から離れる方向に付勢する離方向付勢部としてのコイルスプリング７０を有している。コイルスプリング７０は、自身の回転を規制させるための、装置本体１０１に掛けられた回動規制部７１と、アーム６１の一部と係合する第２係合部７２と、回動規制部７１と第２係合部７２とを付勢する弾性部としてのコイル部７３とで形成されている。
【００３５】
コイルスプリング７０の第２係合部７２は、先端部を折り曲げられて、アーム６１の基端側の側面に係合し、アーム６１が図８の矢印Ａ方向に揺動するように付勢している。
【００３６】
このように構成されるコイルスプリング７０は、第２係合部７２によりアーム６１を、図８の矢印Ａ方向、すなわち、アーム６１の先端及びスイッチ押し部材６２がスイッチ５０から退避する方向に付勢していることになる。
【００３７】
［スイッチ５０及び連動部６０の動作］
つぎに、以上説明したスイッチ５０及び連動部６０からなるスイッチ機構８０の動作を説明する。
【００３８】
（正面扉２４が開状態から閉状態に移動）
まず、正面扉２４が開状態から閉状態に移動する際には、正面扉２４の係合突部２４ａが図５の矢印Ｂ方向に移動してアーム６１の被係合部６１ａに係合する。このとき、係合突部２４ａは、傾斜面である被係合部６１ａを押圧するため、アーム６１が図７の矢印Ｃ方向に揺動し、アーム６１が第１の位置に移動する。
【００３９】
（側面扉２５が開状態から閉状態に移動）
また、側面扉２５が開状態から閉状態に移動する際には、側面扉２５の係合突部２５ａが図７の矢印Ｄ方向に移動してスイッチ押し部材６２の扉受け部６２Ｄを押圧する。すると、スイッチ押し部材６２がスイッチ５０側に近づく方向に回転する。このとき、アーム６１が図５及び図７に示す第１の位置にいると、スイッチ押し部材６２の突出部６２Ｂが、スイッチ５０のスイッチ板５２を押して、スイッチ板５２を接点５３に接触させ、スイッチ５０を通電状態にする。これによって、画像形成装置１００は、動作可能なスタンバイ状態になる。しかし、アーム６１が図８に示す第２の位置にいると、スイッチ押し部材６２が、スイッチ５０に近づく方向に回転しても、突出部６２Ｂでスイッチ板５２を押すことができない。このため、スイッチ板５２が接点５３を押すことがなく、スイッチ５０は、非通電状態のままである。
【００４０】
（正面扉２４が閉状態から開状態に移動）
また、正面扉２４が閉状態から開状態に移動する際には、正面扉２４の係合突部２４ａが、図５の矢印Ｂ方向と逆方向に移動して、アーム６１の被係合部６１ａから外れる。そして、図８及び図１０に示すように、コイルスプリング７０の弾性力により、アーム６１が矢印Ａ方向に揺動し、アーム６１が第２の位置に回転する。このとき、側面扉２５が閉状態（図８）と開状態（図１０）との何れであっても、スイッチ５０は非通電状態になる。
【００４１】
すなわち、図８に示すように、側面扉２５が閉状態の場合、スイッチ押し部材６２は、扉受け部６２Ｄの部分を側面扉２５の係合突部２５ａに押圧されて、左（矢印Ｅ方向）に傾いている。この状態で、アーム６１が図８に示す第２の位置に回転すると、アーム６１の上端部６１ｃがスイッチ５０から退避し、アーム６１の上端部６１ｃに揺動自在に支持されたスイッチ押し部材６２の本体部６２Ａの基端部６２Ａａもスイッチ５０から退避する。そして、スイッチ押し部材６２の突出部６２Ｂも弾性変形することなくスイッチ５０から退避し、スイッチ板５２が接点５３に接触させられている状態から外れる。このため、スイッチ押し部材６２が扉２５の係合突部２５ａに付勢されてスイッチ５０の側に傾いていても、アーム６１が第２の位置に回転することにより、スイッチ板５２が、図８の矢印Ｆ方向に、不図示のばねよって復帰回転して、接点５３から離れる。これによって、スイッチ５０は非通電状態になる。
【００４２】
また、図１０に示すように、側面扉２５が開かれている場合、スイッチ押し部材６２は、扉２５の係合突部２５ａに付勢されていないため、アーム６１が第２の位置に移動することにより、スイッチ５０から離れる。この結果、スイッチ板５２が、図１０の矢印Ｆ方向に復帰回転して接点５３から離れ、スイッチ５０が非通電状態になる。
【００４３】
（側面扉２５が閉状態から開状態に移動）
側面扉２５が閉状態から開状態に移動する際に、側面扉２５の係合突部２５ａは、図９及び図１０の矢印Ｇ方向に移動して、扉受け部６２Ｄから離れる。この場合、正面扉２４が閉状態（図９）と開状態（図１０）との何れであっても、スイッチ５０は非通電状態となる。
【００４４】
すなわち、図９に示すように、正面扉２４が閉状態の場合、アーム６１は第１の位置にいる。一方、係合突部２５ａからの付勢力が解除されたスイッチ押し部材６２は、突出部６２Ｂの弾性復元力とスイッチ板５２の矢印Ｆ方向への復帰力により、第２の揺動軸６２ａを中心にして、図９の矢印Ｈ方向に揺動する。この結果、スイッチ押し部材６２の突出部６２Ｂがスイッチ５０のスイッチ板５２から離れ、スイッチ板５２が接点５３から離れて、スイッチ５０が非通電状態になる。
【００４５】
また、図１０に示すように、正面扉２４が開状態の場合、側面扉２５が閉状態から開状態に移動すると、スイッチ押し部材６２は、図８の状態から矢印Ｈ方向に回転して図１０の破線で示す位置に回転して、不図示のストッパに受け止められて停止する。前述したように、正面扉２４が開状態の場合には、アーム６１が第２の位置にいるため、スイッチ押し部材６２の位置に関係なく、スイッチ５０は非通電状態になる。
【００４６】
以上説明した、スイッチ機構８０は、スイッチ５０自体が装置本体１０１に固定され、扉の開閉動作で移動することがないため、スイッチ５０に損傷が生じにくい。すなわち、正面扉２４と側面扉２５との開閉動作に連動するのは、スイッチ５０とは別に設けたアーム６１とスイッチ押し部材６２とからなる連動部６０である。したがって、正面扉２４と側面扉２５とを開閉動作してもスイッチ５０自体は移動することがない。このため、例えば、何れかの扉を強く閉めても、スイッチ５０が移動しないので、スイッチ５０の内部の部品の大きな力が作用することを防止することができる。この結果、スイッチ５０に損傷がより生じにくい。
【００４７】
また、以上の説明では、扉の開閉にともなって、作動する連動部６０がスイッチ板５２を押すことによって通電状態になる、謂わば、機械的なスイッチ５０を使用しているが、図１３に示すスイッチ機構１８０のように、フォトセンサ１５０を使用してもよい。この場合のスイッチ機構１８０においては、スイッチ作動部材（第２の部材）１６２の突片（スイッチ作動部）１６２Ｂがフォトセンサ１５０の発光部１５０ａと受光部１５０ｂとの間に入出してフォトセンサ１５０で扉の開閉を検知するようになっている。そして、突片１６２Ｂの入出を検知したフォトセンサ１５０が電気部品を通電状態と非通電状態とに切り換えることができる。なお、この場合の連動部１６０は、スイッチ作動部材１６２とアーム６１とによって構成されている。また、符号１６２Ａはスイッチ作動部材１６２の本体部を示し、１６２Ｄは被当接部としての扉受け部を示し、１６２ａは枢支点としての第２の揺動軸を示し、１６２Ａａは、本体部１６２Ａの基端部を示している。
【００４８】
このように、スイッチを装置本体に固定すると、機械的なセンサに限らず、フォトセンサをスイッチとして使用することができて、センサの使用の種類を増やすことができる。
【００４９】
以上説明したスイッチ機構８０は、連動部６０を有するため、正面扉２４及び側面扉２５の開閉動作に連動してスイッチ５０の通電状態と非通電状態との切り替えを行うことができる。また、連動部６０は、正面扉２４と側面扉２５とが閉状態のとき、スイッチ５０を通電状態にし、正面扉２４と側面扉２５との少なくとも一方が開状態のときにスイッチ５０を非通電状態にする。したがって、正面扉２４と側面扉２５とで、１個のスイッチ５０を兼用することができるので、画像形成装置１００の小型化、軽量化、低価格化を図ることができる。また、スイッチがフォトセンサ１５０であっても、正面扉２４と側面扉２５とで、１個のフォトセンサ１５０を兼用することができるので、画像形成装置１００の小型化、軽量化、低価格化を図ることができる。
【００５０】
さらに、図５乃至図１２に示すスイッチ機構８０は、側面扉２５の係合突部２５ａとスイッチ５０の間に弾性変形可能な折り曲げ部６２Ｃを備え、突出部６２Ｂを介してスイッチ板５２を弾性的に付勢している。このため、何れか一方の扉を強く閉めたり過度に押し込んだりした際の負荷を、突出部６２Ｂを介して弾性変形可能な折り曲げ部６２Ｃにより吸収して、スイッチ５０に損傷が生じることを防止することができる。例えば、側面扉２５が閉状態で正面扉２４を強く閉めた場合、アーム６１がスイッチ５０に向けて強い力で揺動する。そして、アーム６１の先端に支持されたスイッチ押し部材６２が、スイッチ５０のスイッチ板５２を強く押すことになる。しかし、折り曲げ部６２Ｃの弾性変形により、スイッチ板５２を強く押すことが軽減される。
【００５１】
また、正面扉２４が閉状態で側面扉２５を強く閉めた場合、係合突部２５ａから加わる力がスイッチ押し部材６２に配置された突出部６２Ｂに介して弾性変形可能な折り曲げ部６２Ｃの弾性変形により吸収され、スイッチ板５２を押す力は軽減される。同様に、何れの扉も閉じられた状態で更に何れかの扉を過度に押し込んでも、その力がスイッチ押し部材６２に配置された突出部６２Ｂに介して弾性変形可能な折り曲げ部６２Ｃの弾性変形により吸収され、スイッチ板５２を押す力が軽減される。この結果、扉を強く閉めたり過度に押し込んだりしても、スイッチ５０に損傷が生じることを軽減できる。
【００５２】
なお、突出部６２Ｂ自体が弾性変形可能な場合も、スイッチ５０に損傷が生じることを防止することができる。
【００５３】
なお、図５乃至図１２に示すスイッチ機構８０は、図１４、図１５に示すスイッチ機構２８０であってもよい。このスイッチ機構２８０の連動部２６０におけるスイッチ押し部材２６２は、扉受け部２６２Ｄを本体部２６２Ａから離して、弾性変形可能な折り曲げ部２６２Ｃによって本体部２６２Ａに接続し、扉受け部２６２Ｄが傾くようにしてある。符号２６２ａは、枢支点としての第２の揺動軸を示している。
【００５４】
この場合、扉受け部２６２Ｄは、側面扉２５が当接する被当接部である。また、折り曲げ部２６２Ｃと扉受け部２６２Ｄは、弾性突片である。このようなスイッチ機構２８０においても、正面扉２４が閉状態で側面扉２５を強く閉めた場合、係合突部２５ａから加わる力が扉受け部２６２Ｄを介して弾性変形可能な折り曲げ部６２Ｃの弾性変形により吸収され、スイッチ板５２を押す力が軽減される。
【００５５】
なお、扉受け部２６２Ｄ自体が弾性変形してもよい。この場合においても、スイッチ板５２を押す力は軽減される。また、図１５の突出部２６２Ｂは、スイッチ５０に接離可能なスイッチ作動部であり、弾性変形しないようになっているが、図５の弾性変形可能な折り曲げ部６２Ｃと突出部６２Ｂと同じ形状にして弾性変形するようになっていてもよい。
【００５６】
すなわち、スイッチ５０に接触する突出部と、側面扉２５が当接する扉受け部との少なくとも一方が弾性変形するようになっていると、スイッチ板５２を押す力を軽減して、スイッチ５０の損傷を防止することができる。
【００５７】
なお、以上のスイッチ５０のスイッチ板５２は、基端部５２ａが軸５４によってスイッチ本体５１に回転自在に設けられて、不図示のばねによって、スイッチ本体５１から離れる方向に付勢されているため、殆ど弾性変形しない部材が使用されている。しかし、このような構成において、スイッチ板５２に弾性板を使用してもよい。さらに、スイッチ板５２の基端部５２ａをスイッチ本体５１固定して、スイッチ板５２自体に弾性を持たせてもよい。このように、スイッチ板５２に弾性を持たせると、より一層の扉を閉めたときの衝撃をやわらげることができる。
【００５８】
また、スイッチに図１３のフォトセンサ１５０を使用した場合、図１３の扉受け部１６２Ｄを図１４に示す扉受け部２６２Ｄと弾性を有する折り曲げ部２６２Ｃと同様にすると、側面扉２５を閉められたときの衝撃を吸収して、衝撃音を低減することができる。
【００５９】
以上の説明において、図５に示すようにスイッチ押し部材６２は、本体部６２Ａ、基端部６２Ａａ、折り曲げ部６２Ｃ、突出部６２Ｂ、及び扉受け部６２Ｄが樹脂製であり、一体に形成されている。好ましくは、樹脂成型品であるとよい。また、図１４、図１５に示すスイッチ作動部材２６２も、本体部２６２Ａ，基端部２６２Ａａ、突出部２６２Ｂ、折り曲げ部２６２Ｃ、及び扉受け部２６２Ｄが樹脂製であり、一体に形成されている。好ましくは、樹脂成型品であるとよい。このように、樹脂で一体に形成すると、スイッチ押し部材６２とスイッチ作動部材２６２とが軽量になり、スイッチ押し部材６２とスイッチ作動部材２６２との動作が円滑になる。また、折り曲げ部６２Ｃ，２６２Ｃに弾性を容易に持たせることができる。
【００６０】
また、図５のスイッチ押し部材６２は、図１６のように、本体部６２Ａ、基端部６２Ａａ、及び扉受け部６２Ｄを一体の樹脂製にし、折り曲げ部６２Ｃと突出部６２Ｂを鉄やステンレス鋼などの金属板を折り曲げて形成しても良い。この場合、折り曲げ部６２Ｃと突出部６２Ｂは、取り付け片６２Ｅを一体に有している。折り曲げ部６２Ｃと突出部６２Ｂは、取り付け片６２Ｅの位置決め孔６２Ｅａを本体部６２Ａの１対の突起６２Ａｂに係合し、ボルト９０を貫通孔６２Ｅｂに貫通させて、本体部６２Ａの雌ねじ６２Ａｃにねじ込むと、本体部６２Ａと一体化される。
【００６１】
さらに、図１５のスイッチ押し部材２６２は、図１７のように、本体部２６２Ａ、基端部２６２Ａａ、及び突出部２６２Ｂを一体の樹脂製にし、扉受け部２６２Ｄと折り曲げ部２６２Ｃを鉄やステンレス鋼などの金属板を折り曲げて形成しても良い。この場合、扉受け部２６２Ｄと折り曲げ部２６２Ｃは、互いに直角な一体の底板２６２Ｆと取り付け片２６２Ｅとを一体に有している。扉受け部と折り曲げ部は、取り付け片２６２Ｅの位置決め孔２６２Ｅａを本体部２６２Ａの１対の突起２６２Ａｂに係合し、ボルト９０を貫通孔２６２Ｅｂに貫通させて、本体部２６２Ａの雌ねじ２６２Ａｃにねじ込むと、本体部２６２Ａと一体化される。このとき、底板２６２Ｆは、本体部２６２Ａの底面２６２Ａｄに密着する。このように、金属板を使用すると、折り曲げ部２６２Ｃの弾性を長期間一定に保つことができて、スイッチ機構８０，１８０，２８０がスイッチを動作させるタイミングを一定に保つことができる。また、扉受け部２６２Ｄ自体にも容易に弾性を持たせることができて、側面扉２５に押されたときの衝撃を十分にやわらげることができる。
【符号の説明】
【００６２】
２４：正面扉（第１の扉又は、第２の扉）、２４ａ：係合突部、２５：側面扉（第２の扉、又は、第１の扉）、２５ａ：係合突部、５０：スイッチ、５１：スイッチ本体、５２：スイッチ板（作動片）、５３：接点、６０：連動部、６１：アーム（第１の移動部材）、６１ａ：被係合部（被当接部）、６１ｂ：第１の揺動軸（枢支点）、６１ｃ：アーム６１の上端部（回転端部）、６２：スイッチ押し部材（第２の移動部材）、６２ａ：第２の揺動軸（枢支点）、６２Ｂ：突出部（スイッチ作動部）、６２Ｃ：折り曲げ部（スイッチ作動部）、６２Ｄ：扉受け部（被当接部）、７０：コイルスプリング（離方向付勢部）、８０：スイッチ機構、１００：画像形成装置、１５１：定着器（電気製品）、１０１：装置本体、１６０：連動部、２６０：連動部、１６２：スイッチ押し部材（第２の移動部材）、１６２ａ：第２の揺動軸（枢支点）、１６２Ｂ：突片部（スイッチ作動部）、１６２Ｄ：扉受け部（被当接部）、１８０：スイッチ機構、１６５：画像形成部、２６２Ｃ：折り曲げ部（弾性突片）、２６２Ｄ：扉受け部（弾性突片）、２８０：スイッチ機構。
【図１】
2015102661.tif 000003
【図２】
2015102661.tif 000004
【図３】
2015102661.tif 000005
【図４】
2015102661.tif 000006
【図５】
2015102661.tif 000007
【図６】
2015102661.tif 000008
【図７】
2015102661.tif 000009
【図８】
2015102661.tif 000010
【図９】
2015102661.tif 000011
【図１０】
2015102661.tif 000012
【図１１】
2015102661.tif 000013
【図１２】
2015102661.tif 000014
【図１３】
2015102661.tif 000015
【図１４】
2015102661.tif 000016
【図１５】
2015102661.tif 000017
【図１６】
2015102661.tif 000018
【図１７】
2015102661.tif 000019